(57)【要約】【課題】端末装置の覆った部分に対してタッチ操作が可能なカバー装置を提供する。【解決手段】置台１０は、端末装置２０が収容された際のタッチパネル２１側に、タッチパネル２１のセンサの配置に対応させて複数の第１電極が設けられた面１４と、面１４の外側に、タッチパネル２１のセンサの配置に対応させて、複数の第１電極とそれぞれ接続された複数の第２電極が設けられた面１５と、を有し、面１４と面１５にかかる部分１６が透明な材質からなるカバー部１２を備える。【選択図】図３
2015015549.tif 000002
【特許請求の範囲】
【請求項１】
タッチパネルを有する端末装置が収容された際の前記タッチパネル側に、前記タッチパネルのセンサの配置に対応させて複数の第１電極が設けられた第１の面と、前記第１の面の外側に、前記タッチパネルのセンサの配置に対応させて、前記複数の第１電極とそれぞれ接続された複数の第２電極が設けられた第２の面と、を有し、前記第１の面と前記第２の面にかかる部分が透明な材質からなるカバー部
を備えたことを特徴するカバー装置。
【請求項２】
開口が形成され、当該開口から前記端末装置の端部を収容可能な収容部をさらに備え、
前記カバー部は、前記端末装置が前記収容部に収容された際の前記収容部の前記タッチパネル側の側壁を構成し、前記第１の面と前記第２の面にかかる部分が前記開口に近づくほど薄く形成されたことを特徴とする請求項１に記載のカバー装置。
【請求項３】
前記第２電極は、当該第２電極に接続された第１の電極の位置での前記第１の面に対する垂線が前記第２の面に交わる位置よりも開口側に設けられていることを特徴とする請求項２に記載のカバー装置。
【請求項４】
前記端末装置全体を収容可能な収容部をさらに備え、
前記カバー部は、前記端末装置が前記収容部に収容された際の前記収容部の前記タッチパネル側の側壁を構成し、前記第１の面と前記第２の面にかかる部分は中央に近づくほど厚く形成されたことを特徴とする請求項１に記載のカバー装置。
【請求項５】
前記第１電極および前記第２電極は、透過性を有する導電性の材料により形成されたことを特徴とする請求項１〜４の何れか１つに記載のカバー装置。
【請求項６】
前記第１電極と前記第２電極とを接続する接続部分は、導電性の細線により形成されたことを特徴とする請求項１〜５の何れか１つに記載のカバー装置。
【請求項７】
前記第１電極および前記第２電極は、前記タッチパネルの画素に相当するサイズで形成され、
前記第１電極と前記第２電極とを接続する接続部分は、光を反射する材質によりシート状に形成されて、隣接する前記第１電極と前記第２電極の領域との間で反射面を構成することを特徴とする請求項１〜５の何れか１つに記載のカバー装置。
【請求項８】
収容された前記端末装置を前記タッチパネル側へ付勢する付勢部をさらに備えたことを特徴とする請求項１〜７の何れか１つに記載のカバー装置。
【発明の詳細な説明】
【技術分野】
【０００１】
本発明は、カバー装置に関する。
【背景技術】
【０００２】
従来より、タッチパネルを備え、タッチ操作が可能な端末装置がある。このような端末装置としては、例えば、スマートフォンやタブレット端末などが挙げられる。このスマートフォンやタブレット端末などの端末装置は、狭額縁化が進み、表示領域が設けられた表示面に占めるタッチパネルの面積が増大して、タッチパネル以外の額縁部が小さくなっている。
【先行技術文献】
【特許文献】
【０００３】
【特許文献１】特開２０１２−１７５６４２号公報
【発明の概要】
【発明が解決しようとする課題】
【０００４】
ところで、端末装置には、クレードルなどの置台にセットして充電や保管が行われるものがある。
【０００５】
しかしながら、端末装置の狭額縁化により、置台は、セットされた端末装置の表示領域の一部分を覆ってしまい、端末装置の覆った部分に対するタッチ操作できなくしてしまう。例えば、置台には、端末装置の端部を収容可能な収容部が形成される。この収容部は、セットされた端末装置を確実に保持するために端末装置の端部を覆うように形成される。このため、端末装置は、置台によって覆われた部分に対して利用者がタッチ操作できなくしてしまう。
【０００６】
なお、このような問題は、クレードルなどの置台に限ったものではなく、防水カバーなど、端末装置の一部または全部を覆うことが可能なカバー装置全般に発生するものである。
【０００７】
一側面では、端末装置の覆った部分に対してタッチ操作が可能なカバー装置を提供することを目的とする。
【課題を解決するための手段】
【０００８】
本発明の一側面によれば、カバー装置は、カバー部を備える。カバー部は、タッチパネルを有する端末装置が収容された際の前記タッチパネル側に、前記タッチパネルのセンサの配置に対応させて複数の第１電極が設けられた第１の面を有する。また、カバー部は、第１の面の外側に、タッチパネルのセンサの配置に対応させて、複数の第１電極とそれぞれ接続された複数の第２電極が設けられた第２の面を有する。カバー部は、第１の面と前記第２の面にかかる部分が透明な材質からなる。
【発明の効果】
【０００９】
本発明の一側面によれば、端末装置の覆った部分に対してタッチ操作を行うことができる。
【図面の簡単な説明】
【００１０】
【図１】図１は、実施例１に係る置台および端末装置の構成の一例を示す図である。
【図２】図２は、実施例１に係る置台に端末装置をセットした状態の一例を示す図である。
【図３】図３は、実施例１に係る置台に端末装置をセットした状態の内部構成を示す断面図である。
【図４】図４は、実施例１に係るカバー部の透明部分の内部構成を示す断面図である。
【図５】図５は、透過型の静電容量方式のタッチパネルの構成の一例を示す図である。
【図６】図６は、タッチパネルの電極部位を拡大した一例を示す図である。
【図７】図７は、図６の矢印方向からのタッチパネルの断面図である。
【図８】図８は、静電容量方式の変化を検出する回路の一例を示す図である。
【図９】図９は、図８を電気回路として表現した一例を示す図である。
【図１０】図１０は、図８を電気回路として表現した一例を示す図である。
【図１１】図１１は、実施例１に係るカバー部の透明部分の構成の一例を示す断面図である。
【図１２】図１２は、タッチパネルが収容部の内面に近接した状態の一例を示す図である。
【図１３】図１３は、実施例２に係るカバー部の透明部分の構成の一例を示す断面図である。
【図１４】図１４は、実施例３に係るカバー部の透明部分の構成の一例を示す断面図である。
【図１５】図１５は、実施例３に係るカバー部の透明部分の電極および導線の構成の一例を示す図である。
【図１６】図１６は、実施例３に係るカバー部を通してタッチパネルを参照した状態の一例を示す図である。
【図１７】図１７は、実施例４に係る防水カバーおよび端末装置の構成の一例を示す図である。
【図１８】図１８は、実施例４に係る防水カバーに端末装置をセットした状態の内部構成を示す断面図である。
【図１９】図１９は、実施例４に係るカバー部の透明部分の内部構成を示す断面図である。
【図２０】図２０は、実施例４に係るカバー部の透明部分の構成の一例を示す断面図である。
【発明を実施するための形態】
【００１１】
以下に、本発明にかかるカバー装置の実施例を図面に基づいて詳細に説明する。なお、この実施例によりこの発明が限定されるものではない。そして、各実施例は、矛盾させない範囲で適宜構成を組み合わせることが可能である。なお、以下では、カバー装置をクレードルなどの置台とした場合と、防水カバーとした場合を例に説明する。
【実施例１】
【００１２】
［置台および端末装置の構成］
実施例１に係る置台１０の構成について説明する。図１は、実施例１に係る置台および端末装置の構成の一例を示す図である。端末装置２０は、タッチパネル２１を備え、タッチ操作が可能な機器である。置台１０は、例えば、クレードルなどの端末装置２０の充電や保管を行うための機器である。端末装置２０としては、例えば、スマートフォン、タブレット端末、ＰＤＡ（Personal  Digital  Assistants）などの携帯端末が挙げられる。本実施例では、端末装置２０をスマートフォンとした場合を例にして説明する。タッチパネル２１は、タッチ操作を検出するセンサと、液晶パネルなどの表示部とが積層されて構成されたものである。タッチパネル２１は、操作画面などの各種情報の表示と、接触操作を検出とが可能とされている。
【００１３】
図１に示すように、端末装置２０は、外形が矩形の平板状に形成されている。端末装置２０は、平板状の一方の面が、タッチパネル２１による表示領域が設けられた表示面２２とされ、タッチパネル２１に対する接触操作を検出可能とされている。また、端末装置２０は、表示面２２に物理的なボタン２３が設けられ、ボタン２３による操作が可能とされている。図１の例では、表示面２２のタッチパネル２１の上部に１つのボタン２３Ａが設けられ、表示面２２のタッチパネル２１の下部に３つのボタン２３Ｂ、２３Ｃ、２３Ｄが並んで設けられている。端末装置２０は、置台１０にセットして充電や保管が行われる。
【００１４】
置台１０は、幅および厚さが共に端末装置２０よりも大きく形成されている。置台１０は、上面側が開口とされ、端末装置２０の長手方向の端部を収容可能な収容部１１が形成されている。
【００１５】
図２は、実施例１に係る置台に端末装置をセットした状態の一例を示す図である。収容部１１は、収容した端末装置２０を確実に保持するため、端末装置２０の端部を覆うように形成されている。端末装置２０は、狭額縁化により表示面２２での表示領域の占める割合が大きくされている。この結果、端末装置２０は、置台１０にセットした際、表示領域の一部分が置台１０によって覆われる。
【００１６】
置台１０は、端末装置２０が収容された際のタッチパネル２１側に、一部分が透明な材質からなるカバー部１２が設けられている。カバー部１２は、端末装置２０が収容部１１に収容された際の収容部１１のタッチパネル２１側の側壁を構成する。
【００１７】
図３は、実施例１に係る置台に端末装置をセットした状態の内部構成を示す断面図である。置台１０は、収容部１１に収容した端末装置２０をタッチパネル２１側へ付勢する付勢部１３が収容部１１内に設けられている。この付勢部１３としては、例えば、バネを内蔵し、収容部１１に収容した端末装置２０を背面から付勢する機構が挙げられる。付勢部１３による付勢により、端末装置２０は、収容部１１に収容された場合、タッチパネル２１と、カバー部１２の収容部１１側の面１４が近接する。
【００１８】
カバー部１２は、収容部１１側の面１４と、面１４とは反対となる外側の面１５とに複数の電極が設けられている。これらの電極は、透過性を有する導電性の材料により形成されており、透過性を有する。この面１４に設けられた電極と面１５に設けられた電極は、微細な導線により接続され、導通している。また、カバー部１２は、電極が設けられた面１４と面１５にかかる部分が透明な材質からなる透明部分１６とされている。収容部１１に収容された端末装置２０は、透明部分１６を通して外部からタッチパネル２１部分を視認可能とされている。なお、本実施例では、カバー部１２の収容部１１に対応する部分を透明な材質からなる透明部分１６としているが、カバー部１２全体を透明な材質で形成してもよい。
【００１９】
図４は、実施例１に係るカバー部の透明部分の内部構成を示す断面図である。透明部分１６は、透明かつ電気的に絶縁の材料により形成されている。このような材料としては、例えば、アクリルなどが挙げられる。透明部分１６は、収容部１１の開口に近づくほど薄く形成されている。例えば、透明部分１６は、断面形状が、置台１０の上側の開口付近が薄く、置台１０の底部側が厚い三角形に形成されている。なお、図４の例では、透明部分１６の断面を単純に三角形として図示しているが、透明部分１６の開口付近は、端末装置２０の着脱時の衝撃など通常の使用時の生じる衝撃に対して耐用できる強度を得られる範囲で薄く形成する。透明部分１６は、開口付近を薄く形成することにより、利用者が透明部分１６から端末装置２０をタッチパネル２１へ連続的にタッチ操作を行った際に、透明部分１６とタッチパネル２１との段差による違和感を低減できる。
【００２０】
ここで、端末装置２０に設けられたタッチパネル２１の構成の一例を説明する。端末装置２０は、透過型の静電容量方式のタッチパネル２１を有する。透過型の静電容量方式は、接触による静電容量の変化を電圧波形として検出するため、電圧波形の形状等から接触したものを判別できる。
【００２１】
図５は、透過型の静電容量方式のタッチパネルの構成の一例を示す図である。タッチパネル２１は、縦に繋がった微小な電極３０と、横に繋がった微小な電極３１が交互に配置されている。図５の例は、縦に繋がった電極３０がＮライン設けられ、横に繋がった電極３１がＭラインの設けられている場合を示している。
【００２２】
図６は、タッチパネルの電極部位を拡大した一例を示す図である。図７は、図６の矢印方向からのタッチパネルの断面図である。図７に示すように、電極３０と電極３１は、絶縁体３２を挟んで配置されており、直接接続されていない。また、電極３０と電極３１は、間隔が小さいため、微小な静電容量を持っている。
【００２３】
図８は、静電容量方式の変化を検出する回路の一例を示す図である。なお、図８では、タッチパネル２１を縦、横それぞれ２ラインに簡略化して示している。横方向の配線３３Ａには、電極３１Ａが接続されている。横方向の配線３３Ｂには、電極３１Ｂが接続されている。配線３３Ａは、スイッチ３４Ａを介して電源３５に接続されている。配線３３Ｂは、スイッチ３４Ｂを介して電源３５に接続されている。電源３５は、静電容量の変化の検出で用いる所定の電圧の電力を供給する。
【００２４】
また、縦方向の配線３６Ａには、電極３０Ａが接続されている。縦方向の配線３６Ｂには、電極３０Ｂが接続されている。配線３６Ａは、電圧検出部３７Ａが接続されている。配線３６Ｂは、電圧検出部３７Ｂが接続されている。
【００２５】
タッチパネル２１では、横方向に各ラインに設けられたスイッチが異なるタイミングで順次オンされる。例えば、スイッチ３４Ａとスイッチ３４Ｂが順にオンされる。スイッチ３４Ａがオンされると、電極３１Ａと電極３０Ａとの間の静電容量に応じて配線３６Ａの電圧が変化し、電極３１Ａと電極３０Ｂとの間の静電容量に応じて配線３６Ｂの電圧が変化する。また、スイッチ３４Ｂがオンされると、電極３１Ｂと電極３０Ａとの間の静電容量に応じて配線３６Ａの電圧が変化し、電極３１Ｂと電極３０Ｂとの間の静電容量に応じて配線３６Ｂの電圧が変化する。この配線３６Ａ、配線３６Ｂの電圧の変化を検知することでタッチパネル２１が指で触れられたことを検出している。
【００２６】
図９は、図８を電気回路として表現した一例を示す図である。図９の例は、タッチパネル２１に対し何も触れているものが無い状態を示している。図９の例では、電極３１Ａと電極３０Ａとの間の静電容量を静電容量Ｃ１１とし、電極３１Ａと電極３０Ｂとの間の静電容量を静電容量Ｃ１３とし、電極３１Ｂと電極３０Ａとの間の静電容量を静電容量Ｃ１４とし、電極３１Ｂと電極３０Ｂとの間の静電容量を静電容量Ｃ１２として示している。
【００２７】
図１０は、図８を電気回路として表現した一例を示す図である。図１０の例は、タッチパネル２１の電極上に金属片などの単なる導電片や、指などの人体を置いた場合を示している。タッチパネル２１に単なる導体片（金属片）を置いた場合は、電極上に置かれた導体片により、静電容量Ｃ１１に静電容量Ｃ２１、静電容量Ｃ１２に静電容量Ｃ２２、静電容量Ｃ１３に静電容量Ｃ２３、静電容量Ｃ１４に静電容量Ｃ２４の容量結合が追加される。さらに、人体が触れた場合は、静電容量Ｃ２１〜Ｃ２４に加え、人体を介しての電荷の放電が発生する。図１０の例では、人体を介しての電荷の放電をそれぞれ静電容量Ｃ３１〜Ｃ３４と抵抗Ｒ３１〜Ｒ３４を直列に接続した回路３８Ａ〜３８Ｄにより示している。
【００２８】
端末装置２０では、タッチパネル２１の横方向の各ラインのスイッチを１つずつ順にオンすることを周期的に繰り返し、各スイッチがオンの期間での縦方向のラインの電圧変化を検出することにより、タッチ操作の有無およびタッチ操作された位置を特定する。また、タッチパネル２１は、単なる導体片を置いた場合と人体で触れた場合とで電気的な特性が異なり、縦方向のラインに現れる電圧も異なる。よって、端末装置２０では、タッチパネル２１の縦方向のラインに現れるピーク電圧値や電圧波形を判別することにより、指で触れたことだけを検出することが可能である。例えば、導体片が触れた場合よりも指が触れた方がピーク電圧値は、低くなる。このため、端末装置２０では、ピーク電圧値が指で触れた際の範囲であるかを判別することにより、指で触れたことだけを検出できる。
【００２９】
次に、本実施例に係るカバー部１２の詳細な構成について説明する。図１１は、実施例１に係るカバー部の透明部分の構成の一例を示す断面図である。カバー部１２の透明部分１６は、端末装置２０が収容された際のタッチパネル２１側となる面１４に、端末装置２０のタッチパネル２１のセンサ（電極３０および電極３１）の配置に対応させて複数の電極４０が設けられている。また、カバー部１２は、面１４とは反対となる外側の面１５に、タッチパネル２１のセンサの配置に対応させて、複数の電極４１が設けられている。電極４０と電極４１は、１対１で導線４２により接続されている。
【００３０】
このようなカバー部１２の製造手順の一例を説明する。例えば、平板状のアクリル内に、異方導電フィルムを用いて、タッチパネル２１の電極３０および電極３１の配置と同等の間隔で微細な導線４２を並列かつ均一に形成する。この際、導線４２の両端は、表面まで伸ばすようにする。アクリルは、絶縁性を有する。このため、形成された導線４２は、接触せず絶縁されている。また、導線４２は、細い電線として形成されるため、透明部分１６を通してタッチパネル２１を目視することを妨げずにアクリルの表裏方向に対してのみ導線性を持たせるができる。このように導線４２が形成されたアクリルをカバー部１２の形状に合わせてカットし、断面を三角形状にする。そして、例えば、印刷技術などを用いて、透明な導電性塗料等でタッチパネル２１側となる面１４にタッチパネル２１のセンサの配置に対応させて、細かく分割された複数の電極４０を設ける。また、外側の面１５に、タッチパネル２１のセンサの配置に対応させて、細かく分割された複数の電極４１を設ける。なお、面１４および面１５には、例えば、電極４０、４１を保護するため、さらに保護層を形成してもよい。カバー部１２の透明部分１６は、例えば、このような製造手順により製造できる。
【００３１】
本実施例に係る置台１０は、このように構成されたカバー部１２を収容部１１のタッチパネル２１側の側壁として用いている。置台１０は、図２に示すように、端末装置２０が収容部１１に収容された場合、付勢部１３により端末装置２０が背面側から付勢され、タッチパネル２１と、カバー部１２の収容部１１側の面１４が近接する。
【００３２】
図１２は、タッチパネルが収容部の内面に近接した状態の一例を示す図である。図１２に示すように、電極４０と電極４１は、それぞれ導線４２により電気的に導通している。本実施例では、電極４０と電極４１は、導線４２よりはるかに大きい面積を有している。
【００３３】
これにより、本実施例に係る置台１０は、利用者が電極４１を指で触れた場合、電極４１の静電容量が変わり、電極４１と導通する電極４０とタッチパネル２１電極間の静電容量を発生させることが可能になる。
【００３４】
これにより、本実施例に係る置台１０は、利用者がカバー部１２を指で触れた場合でも、タッチパネル２１に直接触れた場合と同等の電気的変化をタッチパネル２１に発生させることが可能になる。また、指で触れていないときは、単なる導電物でありタッチパネル２１の電気的な変化は指で触れた場合と異なる。したがって、本実施例に係る置台１０は、カバー部１２を指で触れた場合でも、タッチパネル２１に直接触れた場合と同じ操作が可能になる。
【００３５】
また、カバー部１２は、収容部１１の開口側になる部分の厚さが薄く形成されている。これにより、置台１０は、タッチパネル２１の置台１０に覆われている部分と露出している部分の境界付近の段差を最小化し、境界をまたいだタッチパネル２１のスライド動作を可能にしている。
【００３６】
［効果］
上述してきたように、本実施例に係る置台１０は、カバー部１２を備える。カバー部１２は、端末装置２０が収容された際のタッチパネル２１側の面１４に、タッチパネル２１のセンサの配置に対応させて複数の電極４０が設けられている。また、カバー部１２は、面１４の外側の面１５に、タッチパネル２１のセンサの配置に対応させて、複数の電極４０とそれぞれ接続された複数の電極４１が設けられている。カバー部１２は、面１４と面１５にかかる部分が透明な材質からなる。これにより、置台１０は、端末装置２０を収容部１１に収容した場合でも、端末装置２０の覆った部分に対してタッチ操作を利用者が行うことができる。
【００３７】
また、本実施例に係る置台１０は、カバー部１２の面１４と面１５にかかる透明部分１６が収容部１１の開口に近づくほど薄く形成されている。これにより、置台１０は、利用者が、カバー部１２との境界をまたいだタッチパネル２１に対するタッチ操作をスムーズに行うことができる。
【００３８】
また、本実施例に係る置台１０は、電極４０および電極４１が、透過性を有する導電性の材料により形成されている。これにより、置台１０は、電極４０および電極４１が形成されていてもタッチパネル２１を視認できる。
【００３９】
また、本実施例に係る置台１０は、電極４０と電極４１とを接続する導線４２が、導電性の細線により形成されている。これにより、置台１０は、透明部分１６に導線４２が形成されていてもタッチパネル２１を視認できる。
【００４０】
また、本実施例に係る置台１０は、収容された端末装置２０をタッチパネル２１側へ付勢する付勢部１３を備える。これにより、置台１０は、収容された端末装置２０のタッチパネル２１をカバー部１２の面１４に近接させることができる。
【実施例２】
【００４１】
次に、実施例２について説明する。
【００４２】
［置台の構成］
実施例２に係る置台１０の詳細な構成について説明する。実施例２に係る置台および端末装置の構成は、実施例１にて説明した図１〜図３と同一であるため、説明を省略する。図１３は、実施例２に係るカバー部の透明部分の構成の一例を示す断面図である。実施例２に係る置台１０の構成は、図１１に示した実施例１に係る透明部分の構成と略同一であるため、同一部分については同一の符号を付し、主に異なる部分について説明する。
【００４３】
ここで、置台１０は、透明部分１６の断面形状を三角形に形成した場合、透明部分１６での屈折の影響により透明部分１６が厚くなるほど、端末装置２０のタッチパネル２１の表示が開口方向へずれて視認される。例えば、図１３の例では、タッチパネル２１の位置５０の表示物５１が透明部分１６での屈折の影響により、面１４に対する位置５０での垂線が面１５に交わる位置５２よりも開口側の位置５３に表示されているものと視認される。
【００４４】
そこで、図１３に示すように、実施例２に係るカバー部１２は、電極４１に接続された電極４０の位置での面１４に対する垂線が面１５に交わる位置よりも開口側に電極４１を設けている。例えば、カバー部１２は、屈折による視認される位置の変化に相当する分だけ開口側に電極４１を設ける。一例として、カバー部１２は、電極４１に接続された電極４０の位置での面１４に対する垂線に対して１５°から３０°開口側の位置に電極４１を設ける。
【００４５】
利用者は、タッチパネル２１の表示物５１に対してタッチ操作を行う場合、位置５３に視認される表示物５４に対してタッチ操作が行われる。実施例２に係る置台１０は、電極４１を開口側にずらして設けることにより、透明部分１６の屈折によりタッチパネル２１に表示される表示物の表示位置にずれが生じる場合でも、表示物に対して操作を行うことができる。
【００４６】
［効果］
上述してきたように、本実施例に係る置台１０は、透明部分１６に電極４１が、当該第２電極に接続された電極４０の位置での面１４に対する垂線が面１５に交わる位置よりも開口側に設けられている。これにより、置台１０は、透明部分１６の屈折によりタッチパネル２１に表示される表示物の表示位置にずれが生じる場合でも、表示物に対して操作を行うことができる。
【実施例３】
【００４７】
次に、実施例３について説明する。
【００４８】
［置台の構成］
実施例３に係る置台１０の詳細な構成について説明する。実施例３に係る置台および端末装置の構成は、実施例１にて説明した図１〜図３と同一であるため、説明を省略する。図１４は、実施例３に係るカバー部の透明部分の構成の一例を示す断面図である。実施例３に係る置台１０の構成は、図１１に示した実施例１に係る透明部分の構成と略同一であるため、同一部分については同一の符号を付し、主に異なる部分について説明する。
【００４９】
ここで、実施例２にて上述のように、置台１０は、透明部分１６の断面形状を三角形に形成した場合、透明部分１６が厚くなるほど、透明部分１６での屈折の影響により、端末装置２０のタッチパネル２１の表示が開口方向へずれて視認される。
【００５０】
そこで、実施例３に係るカバー部１２は、透明部分１６に電極４１および電極４０をタッチパネル２１の画素に相当するサイズで形成する。例えば、カバー部１２には、電極４１および電極４０を、タッチパネル２１の画素と同様のサイズで、タッチパネル２１の画素の配置に対応させて開口方向および開口方向に対する垂直方向に２次元状に形成する。また、カバー部１２は、電極４０と電極４１とを接続する導線４２を、光を反射する材質によりシート状に形成して、隣接する画素領域との間で反射面する。例えば、カバー部１２は、導線４２を画素領域毎に開口方向に対する交差方向にシート状に形成して、開口方向に隣接する画素領域との間で反射面を構成するようにする。図１４の例では、導線４２を面１４の開口方向に対して垂直にシート状に形成している。
【００５１】
図１５は、実施例３に係るカバー部の透明部分の電極および導線の構成の一例を示す図である。図１５の例では、２次元状に４つの電極４０が設けられ、各電極４０に開口方向に対する交差方向にシート状に導線４２が形成されている。
【００５２】
図１６は、実施例３に係るカバー部を通してタッチパネルを参照した状態の一例を示す図である。実施例３に係るカバー部１２は、シート状に導線４２が形成したことにより、タッチパネル２１の各画素の光がシート状に導線４２に反射されて面１５から出射する。これにより、実施例３に係る置台１０では、透明部分１６の断面形状を三角形に形成した場合でも端末装置２０のタッチパネル２１の表示が開口方向にずれることを抑制できる。
【００５３】
［効果］
上述してきたように、本実施例に係る置台１０は、透明部分１６に電極４０および電極４１が、タッチパネル２１の画素に相当するサイズで形成されている。そして、置台１０は、電極４０と電極４１とを接続する接続部分が、光を反射する材質によりシート状に形成されて、隣接する画素領域との間で反射面を構成する。これにより、置台１０は、透明部分１６の屈折によりタッチパネル２１に表示される表示物の表示位置が開口方向にずれることを抑制できる。
【実施例４】
【００５４】
次に、実施例４について説明する。なお、実施例４では、カバー装置を防水カバーとした場合を例に説明する。
【００５５】
［カバー装置の構成］
実施例４に係る防水カバー７０の詳細な構成について説明する。図１７は、実施例４に係る防水カバーおよび端末装置の構成の一例を示す図である。なお、端末装置２０の構成は、実施例１〜３と同様であるため、説明を省略する。
【００５６】
図１７に示すように、防水カバー７０は、内部に端末装置２０全体を収容可能な収容部７１を有する。例えば、防水カバー７０は、一端部分が開閉可能とされ、当該一端部分から端末装置２０を収容部７１に収納するものとしてもよい。また、例えば、防水カバー７０は、筐体が上面側ケースと下面側ケースの２つに分離可能とされ、端末装置２０を挟んで上面側ケースと下面側ケースを合わせることにより端末装置２０を収容部７１に収納するものとしてもよい。
【００５７】
図１８は、実施例４に係る防水カバーに端末装置をセットした状態の内部構成を示す断面図である。防水カバー７０は、端末装置２０が収容された際のタッチパネル２１側に、一部分が透明な材質からなるカバー部７２が設けられている。カバー部７２は、端末装置２０が収容部７１に収容された際の収容部７１のタッチパネル２１側の側壁を構成する。なお、防水カバー７０は、収容部７１に収容した端末装置２０全体をタッチパネル２１側へ付勢する付勢部を収容部７１内に設けてもよい。
【００５８】
カバー部７２は、収容部７１側の面７４と、面７４とは反対となる外側の面７５とに複数の電極が設けられている。これらの電極は、透過性を有する導電性の材料により形成されており、透過性を有する。この面７４に設けられた電極と面７５に設けられた電極は、微細な導線により接続され、導通している。また、カバー部７２は、電極が設けられた面７４と面７５にかかる部分が透明な材質からなる透明部分７６とされている。収容部７１に収容された端末装置２０は、透明部分７６を通して外部からタッチパネル２１部分を視認可能とされている。なお、本実施例では、カバー部７２の収容部７１に対応する部分を透明な材質からなる透明部分７６としているが、カバー部７２全体を透明な材質で形成してもよい。
【００５９】
図１９は、実施例４に係るカバー部の透明部分の内部構成を示す断面図である。透明部分７６は、透明かつ電気的に絶縁の材料により形成されている。また、透明部分７６は、中央に近づくほど厚く形成されている。例えば、透明部分７６は、面７４側が平面とされ、面７５側が中央に近づくほど厚くなるように緩やかな円形に形成されている。このように、防水カバー７０は、端末装置２０を収容するカバー部の面７４側を平面とすることにより、端末装置２０のタッチパネルをカバー部７２により近接させることができる。また、防水カバー７０は、端末装置２０を収容するカバー部の面７５側の中央部分を厚くすることにより、水中で水圧を受けた場合の変形を抑制できる。
【００６０】
図２０は、実施例４に係るカバー部の透明部分の構成の一例を示す断面図である。カバー部７２の透明部分７６は、端末装置２０が収容された際のタッチパネル２１側となる面７４に、端末装置２０のタッチパネル２１のセンサ（電極３０および電極３１）の配置に対応させて複数の電極８０が設けられている。また、カバー部７２は、面７４とは反対となる外側の面７５に、タッチパネル２１のセンサの配置に対応させて、複数の電極８１が設けられている。電極８０と電極８１は、１対１で導線８２により接続されている。
【００６１】
ここで、上述のように、防水カバー７０は、カバー部７２の透明部分７６を中央に近づくほど厚く形成した場合、透明部分７６での屈折の影響により、端末装置２０のタッチパネル２１の表示がずれた位置に視認される。
【００６２】
そこで、図２０に示すように、実施例４に係るカバー部７２は、電極８１に接続された電極８０の位置での面７４に対する垂線が面７５に交わる位置よりも屈折により表示のずれ方向側に電極８１を設けている。例えば、カバー部７２は、屈折による視認される位置の変化に相当する分だけ、表示のずれ方向側に電極８１を設ける。一例として、カバー部７２は、電極８１に接続された電極８０の位置での面７４に対する垂線に対して１５°から３０°、表示のずれ方向側の位置に電極８１を設ける。
【００６３】
実施例４に係る防水カバー７０は、電極８１を表示のずれ方向側にずらして設けることにより、透明部分７６の屈折によりタッチパネル２１に表示される表示物の表示位置にずれが生じる場合でも、表示物に対して操作を行うことができる。
【００６４】
［効果］
上述してきたように、本実施例に係る防水カバー７０は、カバー部７２の面７４と面７５にかかる透明部分７６が中央に近づくほど厚く形成されている。これにより、防水カバー７０は、水圧などの圧力が外部からかかった場合でも、変形を抑制できる。
【実施例５】
【００６５】
さて、これまで開示の装置に関する実施例について説明したが、開示の技術は上述した実施例以外にも、種々の異なる形態にて実施されてよいものである。そこで、以下では、本発明に含まれる他の実施例を説明する。
【００６６】
例えば、上記の実施例３では、なお、本実施例では、開口方向に対する交差方向に対してのみシート状に導線４２を形成する場合について説明したが、開示の装置はこれに限定されない。開口方向に対してもシート状に導線４２を形成して交差方向に隣接する画素領域との間で反射面を形成してもよい。この場合、タッチパネル２１に表示される表示物の表示位置が交差方向にずれることを抑制できる。
【００６７】
例えば、上記の実施例４は、実施例３と同様に、透明部分７６にタッチパネル２１の画素に相当するサイズで電極８０、８１による画素領域を形成する。そして、実施例４は、電極８０と電極８１とを接続する接続部分をシート状に形成して隣接する画素領域との間で反射面を構成してもよい。
【符号の説明】
【００６８】
１０  置台
１１  収容部
１２  カバー部
１３  付勢部
１４  面
１５  面
１６  透明部分
２０  端末装置
２１  タッチパネル
４０  電極
４１  電極
４２  導線
７０  防水カバー
７１  収容部
７２  カバー部
７４  面
７５  面
７６  透明部分
８０  電極
８１  電極
８２  導線
【図１】
2015015549.tif 000003
【図２】
2015015549.tif 000004
【図３】
2015015549.tif 000005
【図４】
2015015549.tif 000006
【図５】
2015015549.tif 000007
【図６】
2015015549.tif 000008
【図７】
2015015549.tif 000009
【図８】
2015015549.tif 000010
【図９】
2015015549.tif 000011
【図１０】
2015015549.tif 000012
【図１１】
2015015549.tif 000013
【図１２】
2015015549.tif 000014
【図１３】
2015015549.tif 000015
【図１４】
2015015549.tif 000016
【図１５】
2015015549.tif 000017
【図１６】
2015015549.tif 000018
【図１７】
2015015549.tif 000019
【図１８】
2015015549.tif 000020
【図１９】
2015015549.tif 000021
【図２０】
2015015549.tif 000022